(57)【要約】【課題】蓄電池の複数の制御方法を組み合わせることによって、より効果的に利益を得ることが可能な電力供給システムを提供する。【解決手段】制御装置は、電圧変動を抑制するための第一の制御と、前記複数の需要家全体のデマンド値を抑制するための第二の制御と、前記需要家のうち一の需要家のデマンド値を抑制するための第三の制御と、前記需要家のうち一の需要家における時間シフトを行う第四の制御と、前記複数の需要家全体の時間シフトを行う第五の制御と、前記複数の需要家全体の電力負荷と調達電力との差を抑制するための第六の制御と、のうち少なくとも２つ以上の制御を実行可能であり、当該実行可能な制御に優先順位を付け、当該優先順位に従って選択された制御を実行する。【選択図】図３
2018057231.tif 000002
【特許請求の範囲】
【請求項１】
複数の需要家がそれぞれ有し、前記複数の需要家の電力負荷へと電力を供給可能な蓄電池と、
前記蓄電池の動作を制御可能な制御装置と、
を具備する電力供給システムであって、
前記制御装置は、
電圧変動を抑制するために前記蓄電池の充放電を制御する第一の制御と、
前記複数の需要家全体のデマンド値を抑制するために前記蓄電池を放電させる第二の制御と、
前記需要家のうち一の需要家のデマンド値を抑制するために当該需要家が有する蓄電池を放電させる第三の制御と、
電力料金が比較的高価な時間帯において、前記需要家のうち一の需要家における電力負荷に応じて当該需要家が有する蓄電池を放電させると共に、電力料金が比較的安価な時間帯において、商用電源からの電力を当該蓄電池に充電させる第四の制御と、
電力料金が比較的高価な時間帯において、前記複数の需要家全体の電力負荷に応じて前記蓄電池を放電させると共に、電力料金が比較的安価な時間帯において、前記商用電源からの電力を前記蓄電池に充電させる第五の制御と、
前記複数の需要家全体の電力負荷と調達電力との差を抑制するために前記蓄電池の充放電を制御する第六の制御と、
のうち少なくとも２つ以上の制御を実行可能であり、当該実行可能な制御に優先順位を付け、当該優先順位に従って選択された制御を実行する、
電力供給システム。
【請求項２】
前記第一の制御及び前記第二の制御は、
前記第三の制御、前記第四の制御、前記第五の制御及び前記第六の制御よりも優先順位が高くなるように設定される、
請求項１に記載の電力供給システム。
【請求項３】
前記第五の制御及び前記第六の制御は、
前記第一の制御、前記第二の制御、前記第三の制御及び前記第四の制御よりも優先順位が低くなるように設定される、
請求項１又は請求項２に記載の電力供給システム。
【請求項４】
前記制御装置は、
前記第一の制御及び前記第二の制御を実行する場合、
前記蓄電池の充電率にかかわらず当該蓄電池に放電させる、
請求項１から請求項３までのいずれか一項に記載の電力供給システム。
【請求項５】
前記制御装置は、
前記第三の制御、前記第四の制御、前記第五の制御及び前記第六の制御を実行する場合、
充電率が所定の閾値以上である蓄電池にのみ放電させる、
請求項１から請求項４までのいずれか一項に記載の電力供給システム。
【請求項６】
前記所定の閾値は、
前記第三の制御、前記第四の制御、前記第五の制御及び前記第六の制御のうち、優先順位が高いものほど小さい値となるように設定される、
請求項５に記載の電力供給システム。
【発明の詳細な説明】
【技術分野】
【０００１】
本発明は、蓄電池を有する電力供給システムの技術に関する。
【背景技術】
【０００２】
従来、蓄電池を有する電力供給システムの技術は公知となっている。例えば、特許文献１に記載の如くである。特許文献１には、深夜電力を蓄電池（蓄電装置）に充電する制御を行うことで、電気料金を抑制する技術が記載されている。
【０００３】
特許文献１に記載された技術の他、例えば、電力負荷からの要求電力が大きい場合に蓄電池を放電させ、当該蓄電池からの電力を電力負荷へと供給することで、デマンド値（最大需要電力）を抑制し、電気料金の抑制を図ることもできる。
【０００４】
このように、需要家が様々な利益を得ることができる蓄電池の制御方法は複数知られている。しかし、これら複数の制御方法を効果的に組み合わせる技術は従来知られていない。
【先行技術文献】
【特許文献】
【０００５】
【特許文献１】特開２０１２−１３０１４９号公報
【発明の概要】
【発明が解決しようとする課題】
【０００６】
本発明は以上の如き状況に鑑みてなされたものであり、その解決しようとする課題は、蓄電池の複数の制御方法を組み合わせることによって、より効果的に利益を得ることが可能な電力供給システムを提供することである。
【課題を解決するための手段】
【０００７】
本発明の解決しようとする課題は以上の如くであり、次にこの課題を解決するための手段を説明する。
【０００８】
即ち、請求項１においては、複数の需要家がそれぞれ有し、前記複数の需要家の電力負荷へと電力を供給可能な蓄電池と、前記蓄電池の動作を制御可能な制御装置と、を具備する電力供給システムであって、前記制御装置は、電圧変動を抑制するために前記蓄電池の充放電を制御する第一の制御と、前記複数の需要家全体のデマンド値を抑制するために前記蓄電池を放電させる第二の制御と、前記需要家のうち一の需要家のデマンド値を抑制するために当該需要家が有する蓄電池を放電させる第三の制御と、電力料金が比較的高価な時間帯において、前記需要家のうち一の需要家における電力負荷に応じて当該需要家が有する蓄電池を放電させると共に、電力料金が比較的安価な時間帯において、商用電源からの電力を当該蓄電池に充電させる第四の制御と、電力料金が比較的高価な時間帯において、前記複数の需要家全体の電力負荷に応じて前記蓄電池を放電させると共に、電力料金が比較的安価な時間帯において、前記商用電源からの電力を前記蓄電池に充電させる第五の制御と、前記複数の需要家全体の電力負荷と調達電力との差を抑制するために前記蓄電池の充放電を制御する第六の制御と、のうち少なくとも２つ以上の制御を実行可能であり、当該実行可能な制御に優先順位を付け、当該優先順位に従って選択された制御を実行するものである。
【０００９】
請求項２においては、前記第一の制御及び前記第二の制御は、前記第三の制御、前記第四の制御、前記第五の制御及び前記第六の制御よりも優先順位が高くなるように設定されるものである。
【００１０】
請求項３においては、前記第五の制御及び前記第六の制御は、前記第一の制御、前記第二の制御、前記第三の制御及び前記第四の制御よりも優先順位が低くなるように設定されるものである。
【００１１】
請求項４においては、前記制御装置は、前記第一の制御及び前記第二の制御を実行する場合、前記蓄電池の充電率にかかわらず当該蓄電池に放電させるものである。
【００１２】
請求項５においては、前記制御装置は、前記第三の制御、前記第四の制御、前記第五の制御及び前記第六の制御を実行する場合、充電率が所定の閾値以上である蓄電池にのみ放電させるものである。
【００１３】
請求項６においては、前記所定の閾値は、前記第三の制御、前記第四の制御、前記第五の制御及び前記第六の制御のうち、優先順位が高いものほど小さい値となるように設定されるものである。
【発明の効果】
【００１４】
本発明の効果として、以下に示すような効果を奏する。
【００１５】
請求項１においては、蓄電池の複数の制御方法を組み合わせることによって、より効果的に利益を得ることができる。
【００１６】
請求項２においては、重要度が高いと考えられる制御を優先して実行することができる。
【００１７】
請求項３においては、重要度が低いと考えられる制御よりも他の制御を優先して実行することができる。
【００１８】
請求項４においては、重要度が高いと考えられる制御を、蓄電池の充電率にかかわらず実行させることができる。
【００１９】
請求項５においては、重要度が低いと考えられる制御については、蓄電池にある程度の充電量を確保しながら実行させることができる。
【００２０】
請求項６においては、より適切に制御を実行することができる。
【図面の簡単な説明】
【００２１】
【図１】電力供給システム及び当該電力供給システムが適用されるマンションの概略図。
【図２】電力供給システムの制御に関する構成を示したブロック図。
【図３】制御装置による制御（第一の制御及び第二の制御）を示したフローチャート。
【図４】制御装置による制御（第三の制御及び第四の制御）を示したフローチャート。
【図５】制御装置による制御（第五の制御及び第六の制御）を示したフローチャート。
【発明を実施するための形態】
【００２２】
以下では、本発明の一実施形態に係る電力供給システム１０について説明する。
【００２３】
まず、図１を用いて、電力供給システム１０が適用されるマンション１の概略について説明する。
【００２４】
本実施形態に係るマンション１は、複数の住戸２を有している。図１には、一例として５戸の住戸２を示している。またマンション１は、住戸２とは別に、後述する蓄電池３０を収容するための蓄電池室３を有している。
【００２５】
本実施形態に係るマンション１は、所定の事業者（アグリゲータ）によってエネルギー管理がなされることを想定している。すなわち、アグリゲータは、高圧一括受電を行い、当該電力を各住戸２（需要家）に供給することで、一括したエネルギー管理を行っている。
【００２６】
次に、図１及び図２を用いて、電力供給システム１０の構成について説明する。
【００２７】
電力供給システム１０は、マンション１の各住戸２へと適宜電力を供給するものである。電力供給システム１０は、主として負荷機器２０、蓄電池３０、変圧器４０、第一センサ５０、第二センサ６０、第三センサ７０及び制御装置８０を具備する。
【００２８】
負荷機器２０は、各住戸２に設けられ、電力を消費する各種電気製品（電力負荷）である。
【００２９】
蓄電池３０は、電力を充放電可能なものである。蓄電池３０は複数設けられ、各住戸２の住人が１つずつ所有している。複数の蓄電池３０は、マンション１の蓄電池室３に収容される。
【００３０】
変圧器４０は、電力会社の商用電源Ｓからの電圧を適宜変圧するものである。変圧器４０は、マンション１の適宜のスペース（例えば、変圧器４０を収容するための変圧室等）に配置される。
【００３１】
変圧器４０は、配電線によって商用電源Ｓと接続される。また、変圧器４０は、配電線によって各住戸２の負荷機器２０とそれぞれ接続される。また、各住戸２へ電力を供給する配電線の一次側（商用電源Ｓ側）において、各蓄電池３０が接続される。このように蓄電池３０を配置することで、当該蓄電池３０の充放電電力を、マンション１全体（各住戸２）で融通することができる。
【００３２】
なお、本実施形態において、基本的には、各蓄電池３０が放電する電力（放電量）は、当該蓄電池３０を所有する需要家（住戸２）の電力負荷（電力需要）を超えないように制御される。このように各蓄電池３０の放電量を、それぞれの住戸２の電力負荷に応じて抑制することで、放電する蓄電池３０の偏りを解消し、蓄電池３０の寿命に差異が発生するのを抑制することができる。これによって、マンション１全体で電力を融通しながらも、需要者間の不公平感を解消することができる。
【００３３】
第一センサ５０は、電力を検出可能なものである。第一センサ５０は、変圧器４０の商用電源Ｓ側に設けられる。当該箇所に設けられた第一センサ５０によって、アグリゲータが調達する電力を検出することができる。
【００３４】
第二センサ６０は、電圧及び電力を検出可能なものである。第二センサ６０は、変圧器４０の負荷機器２０（蓄電池３０）側に設けられる。当該箇所に設けられた第二センサ６０によって、変圧器４０（変圧室）端電圧を検出することができる。また当該第二センサ６０によって、マンション全体の電力負荷を検出することができる。
【００３５】
第三センサ７０は、電力を検出可能なものである。第三センサ７０は、各住戸２の負荷機器２０へと電力を引き込む配電線にそれぞれ設けられる。当該箇所に設けられた第三センサ７０によって、各住戸２の電力負荷を検出することができる。
【００３６】
図２に示す制御装置８０は、電力供給システム１０の各部の制御を行うものである。制御装置８０は、主としてＣＰＵ等の演算処理装置、ＲＡＭやＲＯＭ等の記憶装置等により構成される。制御装置８０には、電力供給システム１０の動作を制御するための種々の情報やプログラム等が予め記憶される。
【００３７】
制御装置８０は、第一センサ５０、第二センサ６０及び第三センサ７０に接続され、当該第一センサ５０等による検出結果を受信することができる。
【００３８】
制御装置８０は、蓄電池３０に接続され、各蓄電池３０の充放電を制御することができる。また、制御装置８０は、蓄電池３０に関する種々の情報（ＳＯＣ（充電率）等）を取得することができる。
【００３９】
以下では、制御装置８０により実行される制御の内容について説明する。
【００４０】
制御装置８０は、主に蓄電池３０に関する６つの制御（第一の制御から第六の制御まで）を実行することができる。以下では、まず、当該６つの制御それぞれの概要について説明する。
【００４１】
まず、第一の制御について説明する。第一の制御は、電圧変動を抑制するための制御である。マンション１において電圧が大幅に変動し、基準値（１０１±６（Ｖ））を逸脱すると、照明のちらつきや精密機器（パソコンなど）の誤作動、停電等を引き起こす可能性がある。このような電圧変動は、例えば特定の住戸２（需要家）で急激な電力需要の変動（ドライヤーやＩＨの使用等）が発生したり、想定以上の電力需要が発生した場合に起こり得る。
【００４２】
これに対して、第一の制御では、蓄電池３０の充放電を制御することで、電圧変動の抑制を図ることができる。すなわち、電力需要の変動に対しては、蓄電池３０の充放電を行うことで当該変動を緩和する。また想定以上の電力需要に対しては、蓄電池３０が放電を行うことで、電力負荷を削減する。
【００４３】
具体的には、制御装置８０は、第二センサ６０により検出される電圧に応じて、全蓄電池３０に充放電の指示を出す。例えば、制御装置８０は、第二センサ６０により検出される電圧が９６（Ｖ）未満である場合、全蓄電池３０に放電させる。また制御装置８０は、第二センサ６０により検出される電圧が１０６（Ｖ）以上である場合に、全蓄電池３０に充電させる。これによって、電圧が基準値（１０１±６（Ｖ））から逸脱しないように、電圧変動を抑制することができる。
【００４４】
次に、第二の制御について説明する。第二の制御は、マンション１全体のデマンド値（最大需要電力）を抑制するための制御である。各住戸２の電力需要が大きくなると、一時的にマンション１全体の電力負荷であるデマンド値が上昇する場合がある。本実施形態のように、アグリゲータが高圧一括受電を行う場合、電気料金の基本使用量はマンション１全体のデマンド値に基づいて決定される。このため、デマンド値が上昇すると、アグリゲータの電力料金が高騰し、ひいては各住戸２の電力料金単価が上昇することにもなる。
【００４５】
これに対して、第二の制御では、蓄電池３０から放電を行うことにより、マンション１全体のデマンド値を抑制し、電力料金の削減（高騰の防止）を図ることができる。
【００４６】
具体的には、制御装置８０は、第二センサ６０により検出される電力（マンション１全体の電力負荷）に応じて、全蓄電池３０に放電の指示を出す。例えば、制御装置８０は、マンション１全体の電力負荷が５０ｋＷ以上となった場合に、全蓄電池３０に放電させる。これによって、デマンド値を抑制することができる。
【００４７】
次に、第三の制御について説明する。第三の制御は、各住戸２のデマンド値を抑制するための制御である。各住戸２の電力需要が大きくなり、当該各住戸２のデマンド値が上昇すると、当該各住戸２の電力料金が高くなる。
【００４８】
これに対し、第三の制御では、当該各住戸２が所有する蓄電池３０から放電を行うことにより、当該各住戸２のデマンド値を抑制し、電力料金の削減を図ることができる。
【００４９】
具体的には、制御装置８０は、第三センサ７０により検出される電力（各住戸２の電力負荷）に応じて、対応する各住戸２の蓄電池３０に放電の指示を出す。例えば、制御装置８０は、ある住戸２の電力負荷が５ｋＷ以上となった場合に、当該住戸２が所有する蓄電池３０に放電させる。これによって、デマンド値を抑制することができる。
【００５０】
次に、第四の制御について説明する。第四の制御は、各住戸２の時間シフトを行うための制御である。各住戸２で電力料金単価が割高な時間帯（昼間等）に電力負荷が大きくなると、それに伴って電気料金も増加してしまう。
【００５１】
これに対して、第四の制御では、電力料金単価が比較的安価（割安）な時間帯に蓄電池３０の充電を行い、電力料金単価が比較的高価（割高）な時間帯に蓄電池３０から放電を行うことで、電気料金の削減を図ることができる。
【００５２】
具体的には、制御装置８０は、時間帯に応じて各蓄電池３０に充放電の指示を出す。例えば、制御装置８０は、電力料金単価が割安な深夜時間帯に、蓄電池３０に充電させる。また制御装置８０は、電力料金単価が割高な時間帯（特に、電力負荷の大きいピーク時間帯）に、各住戸２の電力負荷（第三センサ７０により検出される電力）に応じて蓄電池３０に放電させる。これによって、電気料金の削減を図ることができる。
【００５３】
次に、第五の制御について説明する。第五の制御は、マンション１全体の時間シフトを行うための制御である。マンション１全体で電力料金単価が割高な時間帯に電力負荷が大きくなると、それに伴って電気料金も増加してしまう。
【００５４】
これに対して、第五の制御では、電力料金単価が比較的安価（割安）な時間帯に蓄電池３０の充電を行い、電力料金単価が比較的高価（割高）な時間帯に蓄電池３０から放電を行うことで、電気料金の削減を図ることができる。
【００５５】
具体的には、制御装置８０は、時間帯に応じて各蓄電池３０に充放電の指示を出す。例えば、制御装置８０は、電力料金単価が割安な深夜時間帯に、蓄電池３０に充電させる。また制御装置８０は、電力料金単価が割高な時間帯（特に、電力負荷の大きいピーク時間帯）に、マンション１全体の電力負荷（第二センサ６０により検出される電力）に応じて蓄電池３０に放電させる。これによって、電気料金の削減を図ることができる。
【００５６】
なお、第四の制御と第五の制御はいずれも時間シフトに関する制御であるが、各住戸２の電力料金単価の時間帯と、マンション１全体の電力料金単価の時間帯とが異なる場合があるため、別個の制御（第四の制御及び第五の制御）を行うようにしている。
【００５７】
次に、第六の制御について説明する。第六の制御は、マンション１全体のインバランス（電力負荷と調達電力の不均衡）を調整するための制御である。マンション１全体の電力負荷と、調達した電力に大きな差異（不均衡）が発生すると、アグリゲータはインバランス料金（変動範囲内（外）発電料金）を支払う必要があるため、収益率が悪化する。また、収益率の悪化は、各住戸２の電力料金単価に反映される、すなわち電力料金単価が引き上げられる可能性もある。
【００５８】
これに対して、第六の制御では、インバランスが発生した場合に蓄電池３０の充放電を行うことで、当該インバランスを緩和することができる。
【００５９】
具体的には、制御装置８０は、第一センサ５０及び第二センサ６０により検出される電力に応じて、各住戸２の蓄電池３０に充放電の指示を出す。例えば、制御装置８０は、第一センサ５０により検出される電力（調達電力）よりもマンション１全体の電力負荷（第二センサ６０により検出される電力）が大きい場合、各蓄電池３０に放電させる。また、制御装置８０は、調達電力よりもマンション１全体の電力負荷が小さい場合、各蓄電池３０に充電させる。これによって、インバランスの緩和を図ることができる。
【００６０】
上記６つの制御には優先順位が付けられ、制御装置８０は優先順位の高い制御を優先して実行する。本実施形態においては、第一の制御、第二の制御、第三の制御、第四の制御、第五の制御及び第六の制御の順に、優先順位が高く設定されている。
【００６１】
ここで、電圧変動は機器の誤作動や停電の原因になり得るため、第一の制御の重要度は比較的高い。また、マンション１全体のデマンド値の増加はアグリゲータの電力料金の高騰（ひいては、各住戸２の電力料金の高騰）に繋がるため、第二の制御の重要度も比較的高い。従って、本実施形態においては、第一の制御及び第二の制御の優先度が高く設定されている。
【００６２】
一方、マンション１全体の時間シフトは、各住戸２の時間シフト（第四の制御）である程度代替可能であるため、第五の制御の重要度は比較的低い。また、マンション１全体のインバランス調整は必要性が低いと考えられるため、第六の制御の重要度も比較的低い。従って、本実施形態においては、第五の制御及び第六の制御の優先度が低く設定されている。
【００６３】
以下では、当該優先順位に基づいて上記６つの制御を行う具体的な方法（制御方法）について説明する。
【００６４】
図３に示すように、まず制御装置８０は、第一の制御（ステップＳ１０１からステップＳ１０３まで）を実行する。
【００６５】
具体的には、ステップＳ１０１において、制御装置８０は、第二センサ６０により検出される電圧（受電電圧）の値を判定する。
制御装置８０は、当該受電電圧が９７（Ｖ）未満である場合、ステップＳ１０２に移行する。
また、制御装置８０は、当該受電電圧が１０６（Ｖ）以上である場合、ステップＳ１０３に移行する。
また、制御装置８０は、当該受電電圧が９７（Ｖ）以上かつ１０６Ｖ未満である場合、ステップＳ２０１（第二の制御）に移行する。
なお、判定の基準となる９７（Ｖ）及び１０６（Ｖ）との値は、基準値（１０１±６（Ｖ））に対して若干の余裕を見て設定された値である。
【００６６】
ステップＳ１０２において、制御装置８０は、全蓄電池３０を放電させる。これによって、受電電圧を増加させ、電圧が基準値（１０１±６（Ｖ））から逸脱するのを防止することができる。この場合、制御装置８０は、放電量が偏らないように、全蓄電池３０から同量の電力が放電されるように制御する。
【００６７】
なお、前述の如く、本実施形態においては、基本的には、各蓄電池３０の放電量は当該蓄電池３０を所有する需要家（住戸２）の電力負荷を超えないように制御（制限）されるが、ステップＳ１０２では当該制限を無くし、当該電力負荷を超える範囲であっても放電可能とする。これは、第一の制御（電圧変動の抑制）の重要度が高いためである。但し、蓄電池３０全体の放電量は、マンション１全体の電力需要を超えない範囲に制限される。
【００６８】
ステップＳ１０３において、制御装置８０は、全蓄電池３０に充電させる。これによって、受電電圧を減少させ、電圧が基準値（１０１±６（Ｖ））から逸脱するのを防止することができる。
【００６９】
次に制御装置８０は、第二の制御（ステップＳ２０１及びステップＳ２０２）を実行する。
【００７０】
具体的には、ステップＳ１０１から移行したステップＳ２０１において、制御装置８０は、第二センサ６０により検出される電力（マンション１全体の電力需要（デマンド））の値を判定する。
制御装置８０は、マンション１全体の電力需要（電力負荷）が、設定されているデマンド値の９０％以上である場合、ステップＳ２０２に移行する。
また、制御装置８０は、マンション１全体の電力需要（電力負荷）が、設定されているデマンド値の９０％未満である場合、ステップＳ３０１（第三の制御）に移行する。
【００７１】
ステップＳ２０２において、制御装置８０は、全蓄電池３０を放電させる。これによって、マンション１全体のデマンド値の上昇を抑制することができる。なお、この場合、制御装置８０は、放電量が偏らないように、全蓄電池３０から同量の電力が放電されるように制御する。また制御装置８０は、全蓄電池３０からの放電量が、設定されているデマンド値の１０％（例えばデマンド値が５０（ｋＷ）であれば、５（ｋＷ））となるように制御する。
【００７２】
なお、ステップＳ２０２では、第一の制御（ステップＳ１０２）と同様に、各蓄電池３０の放電量の制限を無くしている。これは、第二の制御（デマンド値の抑制）の重要度が高いためである。また、ステップＳ２０２では、第一の制御（ステップＳ１０２）と同様に、蓄電池３０全体の放電量は、マンション１全体の電力需要を超えない範囲に制限される。
【００７３】
次に制御装置８０は、図４に示す第三の制御（ステップＳ３０１からステップＳ３０３まで）を実行する。なお、第三の制御は、各住戸２ごと（各住戸２が所有する蓄電池３０ごと）に実行される。
【００７４】
具体的には、ステップＳ２０１から移行したステップＳ３０１において、制御装置８０は、第三センサ７０により検出される電力（住戸２の電力需要（デマンド））の値を判定する。
制御装置８０は、住戸２の電力需要（電力負荷）が、設定されているデマンド値の９０％以上である場合、ステップＳ３０２に移行する。
また、制御装置８０は、住戸２の電力需要（電力負荷）が、設定されているデマンド値の９０％未満である場合、ステップＳ４０１（第四の制御）に移行する。
【００７５】
ステップＳ３０２において、制御装置８０は、当該住戸２が所有する蓄電池３０のＳＯＣ（充電率）の値を判定する。
制御装置８０は、蓄電池３０のＳＯＣが３０％以上である場合、ステップＳ３０３に移行する。
また、制御装置８０は、蓄電池３０のＳＯＣが３０％未満である場合、ステップＳ４０１（第四の制御）に移行する。
【００７６】
ステップＳ３０３において、制御装置８０は、当該蓄電池３０を放電させる。これによって、当該住戸２のデマンド値の上昇を抑制することができる。なお、この場合、制御装置８０は、蓄電池３０からの放電量が、設定されているデマンド値の１０％となるように制御する。
【００７７】
このように、制御装置８０は、各住戸２ごとに第三の制御を実行する。この際、蓄電池３０のＳＯＣが３０％以上である場合にのみ放電を行うことで、蓄電池３０に最低限（３０％以上）の電力を確保し、非常時（停電発生時等）に備えることができる。
【００７８】
次に制御装置８０は、第四の制御（ステップＳ４０１からステップＳ４０５まで）を実行する。なお、第四の制御は、各住戸２ごと（各住戸２が所有する蓄電池３０ごと）に実行される。
【００７９】
具体的には、ステップＳ３０１又はステップＳ３０２から移行したステップＳ４０１において、制御装置８０は、現在時刻における住戸２の電力料金単価を判定する。なお、当該判定を行うために、制御装置８０は、住戸２の電力料金表（時間帯ごとの電力料金単価を示すデータ）を予め取得している。
制御装置８０は、住戸２の電力料金単価が比較的安価である（例えば、深夜電力が適用される時間帯である）場合、ステップＳ４０２に移行する。
また、制御装置８０は、住戸２の電力料金単価が比較的高価である（例えば、一日の中で電力料金単価が最も高価に設定されている時間帯である）場合、ステップＳ４０４に移行する。
また、制御装置８０は、住戸２の電力料金単価が安価でも高価でもない場合、ステップＳ５０１（第五の制御）に移行する。
【００８０】
ステップＳ４０２において、制御装置８０は、各蓄電池３０（電力料金単価が安価であると判断された住戸２の蓄電池３０）のうち、充電の優先順位の高低を判断する。ここで、制御装置８０は、各蓄電池３０のうち、ＳＯＣが低いものから順に、充電の優先順位が高いものとする。
【００８１】
制御装置８０は、ステップＳ４０２の処理を行った後、ステップＳ４０３に移行する。
【００８２】
ステップＳ４０３において、制御装置８０は、各蓄電池３０の充電を行う。この際、制御装置８０は、ステップＳ４０２で充電の優先順位が高かった蓄電池３０から優先して（順番に）充電を行う。
【００８３】
このように、全蓄電池３０が同時に充電を行うと不都合が生じるおそれがある（例えば、電圧変動やマンション１全体のデマンド値の増加等が発生するおそれがある）ため、本実施形態においては充電の優先順位に従って蓄電池３０を充電している。
【００８４】
一方、ステップＳ４０１から移行したステップＳ４０４において、制御装置８０は、蓄電池３０（電力料金単価が高価であると判断された住戸２の蓄電池３０）のＳＯＣの値を判定する。
制御装置８０は、蓄電池３０のＳＯＣが４０％以上である場合、ステップＳ４０５に移行する。
また、制御装置８０は、蓄電池３０のＳＯＣが４０％未満である場合、ステップＳ５０１（第五の制御）に移行する。
【００８５】
ステップＳ４０５において、制御装置８０は、蓄電池３０を放電させる。当該蓄電池３０からの電力を各住戸２に供給することで、電力料金の削減を図ることができる。なお、この際の蓄電池３０の放電量は、当該蓄電池３０を所有する住戸２の電力需要（電力負荷）を超えないように制御される。
【００８６】
このように、制御装置８０は、各住戸２ごとに第四の制御を実行する。この際、蓄電池３０のＳＯＣが４０％以上である場合にのみ放電を行うことで、蓄電池３０にある程度（４０％以上）の電力を確保し、非常時（停電発生時等）に備えることができる。また、第四の制御は第三の制御よりも優先順位（重要度）が低いため、当該第四の制御において蓄電池３０を放電させる際の閾値（４０％（ステップＳ４０４参照））は、第三の制御において蓄電池３０を放電させる際の閾値（３０％（ステップＳ３０３参照））よりも高く設定されている。すなわち、重要度が比較的低い第四の制御においては、重要度が比較的高い第三の制御よりも蓄電池３０が放電し難いように設定されている。
【００８７】
次に制御装置８０は、図５に示す第五の制御（ステップＳ５０１からステップＳ５０３まで）を実行する。なお、第五の制御（特に、後述するステップＳ５０２及びステップＳ５０３の処理）は、各住戸２ごと（各住戸２が所有する蓄電池３０ごと）に実行される。
【００８８】
ステップＳ４０１又はステップＳ４０４から移行したステップＳ５０１において、制御装置８０は、現在時刻におけるマンション１全体（すなわち、アグリゲータ）の電力料金単価を判定する。なお、当該判定を行うために、制御装置８０は、アグリゲータの電力料金表（時間帯ごとの電力料金単価を示すデータ）を予め取得している。
制御装置８０は、マンション１全体の電力料金単価が比較的高価である（例えば、一日の中で電力料金単価が最も高価に設定されている時間帯である）場合、ステップＳ５０２に移行する。
また、制御装置８０は、住戸２の電力料金単価が高価でない場合、ステップＳ６０１（第六の制御）に移行する。
【００８９】
ステップＳ５０２において、制御装置８０は、蓄電池３０（電力料金単価が高価であると判断された住戸２の蓄電池３０）のＳＯＣの値を判定する。
制御装置８０は、蓄電池３０のＳＯＣが８０％以上である場合、ステップＳ５０３に移行する。
また、制御装置８０は、蓄電池３０のＳＯＣが８０％未満である場合、ステップＳ６０１（第六の制御）に移行する。
【００９０】
ステップＳ５０３において、制御装置８０は、蓄電池３０を放電させる。当該蓄電池３０からの電力を各住戸２に供給することで、電力料金の削減を図ることができる。なお、この際の蓄電池３０の放電量の合計は、マンション１全体の電力需要（電力負荷）を超えないように制御される。
【００９１】
このように、制御装置８０は、各住戸２ごとに第五の制御（ステップＳ５０２及びステップＳ５０３）を実行する。この際、蓄電池３０のＳＯＣが８０％以上である場合にのみ放電を行うことで、蓄電池３０にある程度（８０％以上）の電力を確保し、非常時（停電発生時等）に備えることができる。また、第五の制御は第四の制御よりも優先順位（重要度）が低いため、当該第五の制御において蓄電池３０を放電させる際の閾値（８０％（ステップＳ５０２参照））は、第四の制御において蓄電池３０を放電させる際の閾値（４０％（ステップＳ４０４参照））よりも高く設定されている。すなわち、重要度が比較的低い第五の制御においては、重要度が比較的高い第四の制御よりも蓄電池３０が放電し難いように設定されている。
【００９２】
なお、第五の制御には、蓄電池３０を充電させる処理が含まれていない（省略されている）。これは、第四の制御（ステップＳ４０３）に蓄電池３０の充電を行う処理が含まれているため、第五の制御において改めて充電を行う必要性が低いと考えられるためである。すなわち、本実施形態においては、第五の制御における蓄電池３０の充電を行う処理を、第四の制御における蓄電池３０の充電を行う処理に含ませている（共通化している）。仮に、第五の制御が第四の制御よりも優先順位が高い場合には、当該第五の制御において蓄電池３０を充電させる処理を実行させ、第四の制御で蓄電池３０を充電させる処理を省略することも可能である。
【００９３】
次に制御装置８０は、第六の制御（ステップＳ６０１からステップＳ６０４まで）を実行する。なお、第六の制御（特に、後述するステップＳ６０２からステップＳ６０４までの処理）は、各住戸２ごと（各住戸２が所有する蓄電池３０ごと）に実行される。
【００９４】
ステップＳ５０１又はステップＳ５０２から移行したステップＳ６０１において、制御装置８０は、マンション１全体のインバランス（電力負荷と調達電力の不均衡）の度合いを判定する。具体的には、制御装置８０は、マンション１全体の電力の供給（調達電力）と需要（電力負荷）の比（供給／需要×１００（％））に基づいて、インバランスの度合いを判定する。
制御装置８０は、マンション１全体の電力の供給と需要の比が１０２％以上である場合、ステップＳ６０２に移行する。
また、制御装置８０は、マンション１全体の電力の供給と需要の比が９８％未満である場合、ステップＳ６０３に移行する。
また、制御装置８０は、マンション１全体の電力の供給と需要の比が１０２％未満かつ９８％以上である場合、本制御を終了する。
【００９５】
なお、アグリゲータがマンション１だけでなく、複数のマンションのエネルギー管理を行っている場合には、ステップＳ６０１の処理において、当該アグリゲータがエネルギー管理している全てのマンション全体のインバランスの度合いを判定してもよい。
【００９６】
ステップＳ６０２において、制御装置８０は、各蓄電池３０の充電を行う。この際、制御装置８０は、充電可能な蓄電池３０のみ（例えば、十分な空き容量がある蓄電池３０のみ）充電させる。また、この際の充電量は、マンション１全体の電力の供給と需要の差分となるように制御される。
【００９７】
このように、マンション１全体の電力の供給と需要の比が１０２％以上である場合には蓄電池３０に充電させることで、当該供給と需要の差をなくすことができる。これによって、マンション１全体のインバランスの緩和を図ることができる。
【００９８】
一方、ステップＳ６０１から移行したステップＳ６０３において、制御装置８０は、各蓄電池３０のＳＯＣの値を判定する。
制御装置８０は、蓄電池３０のＳＯＣが９０％以上である場合、ステップＳ６０４に移行する。
また、制御装置８０は、蓄電池３０のＳＯＣが９０％未満である場合、本制御を終了する。
【００９９】
ステップＳ６０４において、制御装置８０は、各蓄電池３０を放電させる。この際、制御装置８０は、ＳＯＣが９０％以上である蓄電池３０（ステップＳ６０３参照）のみを放電させることになる。この際の放電量は、マンション１全体の電力の供給と需要の差分となるように制御される。
【０１００】
このように、マンション１全体の電力の供給と需要の比が９８％未満である場合には蓄電池３０に放電させることで、当該供給と需要の差をなくすことができる。これによって、マンション１全体のインバランスの緩和を図ることができる。
【０１０１】
このように、制御装置８０は、各住戸２ごとに第六の制御（ステップＳ６０２からステップＳ６０４まで）を実行する。この際、蓄電池３０のＳＯＣが９０％以上である場合にのみ放電を行うことで、蓄電池３０にある程度（９０％以上）の電力を確保し、非常時（停電発生時等）に備えることができる。また、第六の制御は第五の制御よりも優先順位（重要度）が低いため、当該第六の制御において蓄電池３０を放電させる際の閾値（９０％（ステップＳ６０３参照））は、第五の制御において蓄電池３０を放電させる際の閾値（８０％（ステップＳ５０２参照））よりも高く設定されている。すなわち、重要度が比較的低い第六の制御においては、重要度が比較的高い第五の制御よりも蓄電池３０が放電し難いように設定されている。
【０１０２】
制御装置８０は、以上の処理（図３から図５までに示す第一の制御から第六の制御まで）を所定時間ごと（例えば、数秒ごと）に繰り返す。この際、制御装置８０は、上記６つの制御（第一の制御から第六の制御まで）を優先順位に従って実行することになる。このように、本実施形態では、蓄電池３０による複数種類の機能（第一の制御から第六の制御まで）に適宜優先順位を設け、それに従って適切に実行することができる。
【０１０３】
以上の如く、本実施形態に係る電力供給システム１０は、
複数の需要家（住戸２）がそれぞれ有し、前記複数の需要家の電力負荷（負荷機器２０）へと電力を供給可能な蓄電池３０と、
前記蓄電池３０の動作を制御可能な制御装置８０と、
を具備する電力供給システム１０であって、
前記制御装置８０は、
電圧変動を抑制するために前記蓄電池３０の充放電を制御する第一の制御と、
前記複数の需要家全体のデマンド値を抑制するために前記蓄電池３０を放電させる第二の制御と、
前記需要家のうち一の需要家のデマンド値を抑制するために当該需要家が有する蓄電池３０を放電させる第三の制御と、
電力料金が比較的高価な時間帯において、前記需要家のうち一の需要家における電力負荷に応じて当該需要家が有する蓄電池３０を放電させると共に、電力料金が比較的安価な時間帯において、商用電源Ｓからの電力を当該蓄電池３０に充電させる第四の制御と、
電力料金が比較的高価な時間帯において、前記複数の需要家全体の電力負荷に応じて前記蓄電池３０を放電させると共に、電力料金が比較的安価な時間帯において、前記商用電源Ｓからの電力を前記蓄電池３０に充電させる第五の制御と、
前記複数の需要家全体の電力負荷と調達電力との差を抑制するために前記蓄電池３０の充放電を制御する第六の制御と、
のうち少なくとも２つ以上の制御を実行可能であり、当該実行可能な制御に優先順位を付け、当該優先順位に従って選択された制御を実行するものである。
このように構成することにより、蓄電池３０の複数の制御方法を組み合わせることによって、より効果的に利益を得ることができる。すなわち、各制御に優先順位を設け、当該優先順位に従って制御を実行することで、複数の制御の利益を簡単な制御方法で得ることができる。
【０１０４】
また、前記第一の制御及び前記第二の制御は、
前記第三の制御、前記第四の制御、前記第五の制御及び前記第六の制御よりも優先順位が高くなるように設定されるものである。
このように構成することにより、重要度が高いと考えられる制御を優先して実行することができる。すなわち、電圧変動を抑制する第一の制御や、複数の需要家全体のデマンド値を抑制する第二の制御は重要度が高いため、当該第一の制御及び第二の制御を他の制御よりも優先して実行することで、より効果的に利益を得ることができる。
【０１０５】
また、前記第五の制御及び前記第六の制御は、
前記第一の制御、前記第二の制御、前記第三の制御及び前記第四の制御よりも優先順位が低くなるように設定されるものである。
このように構成することにより、重要度が低いと考えられる制御よりも他の制御を優先して実行することができる。
【０１０６】
また、前記制御装置８０は、
前記第一の制御及び前記第二の制御を実行する場合、
前記蓄電池３０の充電率（ＳＯＣ）にかかわらず当該蓄電池３０に放電させるものである。
このように構成することにより、重要度が高いと考えられる制御を、蓄電池３０の充電率にかかわらず実行させることができる。これによって、当該制御による利益をより効果的に得ることができる。
【０１０７】
また、前記制御装置８０は、
前記第三の制御、前記第四の制御、前記第五の制御及び前記第六の制御を実行する場合、
充電率が所定の閾値以上である蓄電池３０にのみ放電させるものである。
このように構成することにより、重要度が低いと考えられる制御については、蓄電池３０にある程度の充電量を確保しながら実行させることができる。これによって、非常時（停電時等）のために蓄電池３０にある程度の充電量を確保しておくことができる。
【０１０８】
また、前記所定の閾値は、
前記第三の制御、前記第四の制御、前記第五の制御及び前記第六の制御のうち、優先順位が高いものほど小さい値となるように設定されるものである。
このように構成することにより、より適切に制御を実行することができる。すなわち、優先順位に応じて閾値を設定することで、優先順位（重要度）が高いものほど制御（放電）を実行し易くすることができる。
【０１０９】
なお、本実施形態に係る住戸２は、本発明に係る需要家の実施の一形態である。
また、本実施形態に係る負荷機器２０は、本発明に係る電力負荷の実施の一形態である。
【０１１０】
以上、本発明の一実施形態を説明したが、本発明は上記構成に限定されるものではなく、特許請求の範囲に記載された発明の範囲内で種々の変更が可能である。
【０１１１】
例えば、上記実施形態においては、具体的な数値を例示して各制御の説明を行ったが、当該各数値は一例であり、任意に変更することが可能である。
【０１１２】
また、上記実施形態においては、第一の制御、第二の制御、第三の制御、第四の制御、第五の制御及び第六の制御の順に、優先順位が高く設定されるものとしたが、本発明はこれに限るものではなく、優先順位は任意に変更することが可能である。また、当該優先順位は、予め決定され制御装置８０に記憶されるものでも、制御装置８０が種々の条件に基づいて自動的に設定するものでもよい。
【０１１３】
また、上記実施形態においては、制御装置８０は、第一の制御、第二の制御、第三の制御、第四の制御、第五の制御及び第六の制御を実行可能なものとしたが、本発明はこれに限るものではなく、当該６つの制御のうち少なくとも２つ以上の制御を実行可能であり、当該実行可能な制御に優先順位を付けるものであればよい。
【０１１４】
また、上記実施形態においては、第五の制御よりも第四の制御が優先されるため、第五の制御で蓄電池３０を充電させる処理を省略した（第四の制御で蓄電池３０を充電させる処理と共通化させた）例を示したが、本発明の思想においては、第五の制御に蓄電池３０を充電させる処理も含まれる。従って、本実施形態で示した例に限らず、第五の制御において蓄電池３０を充電させる処理を行ってもよい。
【０１１５】
また、上記実施形態においては、６つの制御を所定時間ごと（例えば、数秒ごと）に繰り返すものとしたが、本発明はこれに限るものではない。例えば、優先順位に応じて制御を実行する時間間隔を設定してもよい。例えば、優先順位の高い第一の制御及び第二の制御（充放電を行うか否かの判断）は常時実行し、優先順位の低い第三の制御から第六の制御までは所定時間ごと（例えば１０分ごと）に実行するように構成してもよい。
【０１１６】
また、本実施形態においては、電力供給システム１０はマンション１に適用されるものとしたが、本発明はこれに限るものではない。例えば、複数の戸建住宅からなる住宅街区等に適用することも可能である。
【符号の説明】
【０１１７】
１    マンション
２    住戸
１０  電力供給システム
２０  負荷機器
３０  蓄電池
４０  変圧器
５０  第一センサ
６０  第二センサ
７０  第三センサ
８０  制御装置
【図１】
2018057231.tif 000003
【図２】
2018057231.tif 000004
【図３】
2018057231.tif 000005
【図４】
2018057231.tif 000006
【図５】
2018057231.tif 000007